(57)【要約】シート全体にわたって縦方向および横方向の孔の列を有するシート金属（１）。孔は、各孔の対角線がシートの縦方向および横方向に延びている正方形または菱形（２）であり、それによってシートを対角線に沿って切断および／または折り曲げて、ブラケット（６）または連結具、あるいは家庭および大部分の産業の両方で使用されるその他の形に成形できる。
2007513298.tif 000002
【特許請求の範囲】
【請求項１】
ブラケット、コネクタまたは結合具の組立てに適した材料シートであって、シート材料の折り曲げ、または切断を容易にする成形アパーチャを少なくとも一列有している材料シート。
【請求項２】
成形アパーチャがシートの縦方向および横方向に一列に並んでいる、請求項１記載の材料シート。
【請求項３】
材料が金属シートである、請求項１または２記載の材料シート。
【請求項４】
成形アパーチャが、シートの縦方向および横方向に延びる頂点または点を有する、請求項２記載の材料シート。
【請求項５】
成形アパーチャが正方形または菱形である、請求項４記載の材料シート。
【請求項６】
シートに、成形アパーチャの列の間に配置された丸孔の一連の列が提供されている、請求項４記載の材料シート。
【請求項７】
シートの縦方向および横方向に延びるアパーチャの列を有し、前記アパーチャがシートの縦方向および／または横方向に折り曲げ、および／または切断するために成形されて与えられているシートを提供する段階、ならびにシートを切断および折り曲げてブラケットまたは結合具の形にする段階を含む、ブラケットまたは結合具を組立てる方法。
【請求項８】
成形アパーチャが、シートの縦方向または横方向に延びる対角線を持つ正方形または菱形である、請求項７記載の方法。
【請求項９】
シートに、成形アパーチャの列の間に、間隔をあけて配置された丸い取付け孔の列が提供されている、請求項７記載の方法。
【請求項１０】
請求項７から９のいずれかに記載の方法により作られた、ブラケットまたは結合具。
【発明の詳細な説明】
【技術分野】
【０００１】
本発明は、ブラケット、より具体的には特定の要求に適したブラケットの製造に関するものである。
【背景技術】
【０００２】
様々な部品を保持、支持または連結するブラケットは周知であり、多種多様な形とサイズのものがある。しかしながら、現場作業者はしばしば、特殊なブラケットを必要とする状況に直面する。通常作業者は、現場の状況で普通必要とされるであろうブラケットを携行していくが、特殊な状況で求められるかもしれないタイプの市販ブラケットを全て携行することは、現実的でないことが多い。
【発明の開示】
【発明が解決しようとする課題】
【０００３】
それゆえに、既存のブラケットの変更を試みるか、またはシート材料を入手して、利用可能な、限られた道具を使って適当なブラケットの作製を試みるかしなければならない。例えば、シート材料を曲げて、角が直線的になるように直角に曲げるようなことは困難なことが多い。シート材料を複数の面に曲げるか、または折り曲げなければならない場合は特に困難である。
【０００４】
かくして本発明の目的の一つは、ブラケット、または個々の要求に合わせて現地また現場でブラケットを作ることができる連結プレートもしくは要素の作製に好適なシート材料提供することである。
【０００５】
発明の更なる目的は、ブラケットの作製に適した金属シートであって、シートに、ブラケット、接合具または連結要素を作りやすくするための、少なくとも一列のアパーチャが開けられている金属シートを提供することである。
【０００６】
発明の更なる目的は、金属シートの縦方向および横方向に並べられた、少なくとも一列のアパーチャを有する金属シートを提供することである。
【０００７】
発明の、より更なる目的は、そこから少なくとも一つのブラケット、コネクタまたは接合具を形作るのに適した金属シートであって、その中に菱形または長方形のアパーチャを有し、前記アパーチャの対角線がシートの縦方向、シートに対し横方向である金属シートを提供することである。
【課題を解決するための手段】
【０００８】
かくして発明は、ブラケット、コネクタ、および接合具等の作製に適した材料シートであって、そこからの、少なくとも一つのブラケット、コネクタまたは接合具の組立てを容易にする、少なくとも一列のアパーチャを含んでいる材料シートを提供する。
【０００９】
好ましくは、材料シートは金属シートであるが、プラスチックまたはその他材料から作ることも考えている。
【００１０】
好ましくは、アパーチャの列は、材料シートの縦方向および横方向に配置される。
【００１１】
好ましくは、少なくとも一列のアパーチャは、菱形または正方形である。
【００１２】
好ましくは、菱形または正方形のアパーチャは、シートの折り曲げ、および切断を容易にするために、対角線がシートの縦方向および横方向になるように配置される。
【００１３】
好ましくは、ブラケット、接合具またはコネクタを固定する締結手段の受けとなる、別のアパーチャ、好ましくは円形のアパーチャの列をさらに含む。
【００１４】
発明はまた、シートの縦方向および横方向に配置された少なくとも一列のアパーチャを有する金属シートを提供する段階、およびアパーチャ列の選択した部分に沿って材料シートを切断および／または折り曲げる段階を包含する、ブラケット、接合具または締結具を組立てる方法も提供する。
【００１５】
好ましくは、少なくとも一列のアパーチャは菱形または正方形で、アパーチャの対角線はシートの縦方向および横方向であり、選択されたアパーチャの選択された対角線に沿ってシートを折り曲げ、そして／または切断する。
【００１６】
発明をより完全に説明するために、次に添付の図面を参照する。
【００１７】
好ましい態様の説明
金属シートは、材料シートに沿って延びる、一定の間隔を開けた菱形の孔の列を有する。好ましくは、各列の菱形の孔の縦方向間隔は２５ｍｍであり、列の間隔は、菱形の孔がシート全体にわたって列に対し直角に横方向に延びている時には２０ｍｍであり、この時使用者のブラケットのサイズ選択幅は最も大きくなる。我々はまた、孔の間隔について別の選択を行う製品も考えている。シートは多様な長さおよび幅で、平坦、または例示するようにシート中央またはシートの縁を含むシートのいずれかの場所に沿って角度を付けて作ることができる。
【００１８】
菱形の孔はそれぞれ、各孔の対角線の一つがシートの縦方向に延び、別の対角線はそれに対して直角、即ちシートの横方向に延びる形に配置される。
【００１９】
菱形の孔の寸法およびシート縦方向およびシート横方向の孔の間隔は、精巧な工具または道具を必要とせずに、金属シートをいずれかの対角線に沿って手で折りたたみ、曲げることができる間隔である。曲げることで、きれいな、鋭い直線状の曲がり目ができる。曲げは、孔の対角線に沿ってできる。
【００２０】
菱形の孔は、要素または構造へのブラケットの取付けに利用できる。しかしながら、成形したブラケットの要素または構造への取付けに使用する第二の丸孔の列を提供することが好ましい。第二の列の孔は円形であり、丸孔の各列は、菱形の孔の列の間に、シートの縦横両方向に配置される。
【００２１】
シートは直角の曲がりを持つ様々な形に曲げ、また切断できる。しかしながら実際には、いくつかの状況では、シート部分を直角以外の角度に曲げ、鋭角または鈍角にすることもできる。シートを溝形に曲げ、溝にサイドフランジを付けることができる。このように切断と折りたたみを組み合わせることによって、ブラケットを、現場で、特殊な状況に合わせた形にすることができる。
【００２２】
シートは手で曲げることができるが、非常に小さな角度が要求される場合には、一または二つのプライヤーを用いて曲げてもよい。
【００２３】
シートを切断する場合は、切断は菱形または正方形の孔の対角線に沿って行い、また連続する孔の対角線を追うことによって容易に直線的に切断できる。
【００２４】
図１（ａ）（ｂ）および（ｃ）は、正方菱形孔２の列および丸孔３の列を有する材料シート１を図示している。孔２はシート１の横方向および縦方向共にいっぱいに延びており、孔３は孔１の列の間に配置されている。
【００２５】
シート１は様々な長さおよび幅に作ることができ、例４および５はこの様な幅で作ってもよく、または金切り鋏を使って孔２の列の対角線に沿って切断することによってシート１から切り取ることもできる。
【００２６】
例４の透視図を図２（ａ）に示し、また角ブラケットの例６は、孔２の列の対角線に沿って折り曲げることによって形作られる。
【００２７】
図３に示すように、シート材料は金切り鋏7によって、孔2の対角線に沿って切断でき、または図４および５に示すように、孔２の対角線に沿って手で簡単に曲げることができる。
【００２８】
支柱９上部への梁８を取付けるブラケットの例では、ブラケットは梁８に取付けられる溝部分１０、張り溝１２の基部１１に連続している溝１０の基部１１を有し、基部はまた支柱９に取付けられた溝１３の基部にも連続している。
【００２９】
図７は、別の例であるサイドフランジ１４を持つ溝１４を示しており、図８は、角ブラケット１６および１７を用いた支柱９への梁８の別の取付け例を示している。実際には、ブランケット１６および１７は単一ブランケットとして形成可能である。図９は、折返し端１９を持つ一本のストリップ材を使用した、支持構造に物体を保持する固定具の作製を例示している。
【００３０】
かくして発明は、菱形の孔の列を有し、それによりシートを孔の対角線に沿って簡単に折り曲げることができるシート材料を準備することによって、現場でブラケットを作る手段を提供する。孔の列の対角線は、材料の直線的な切断に用いられる。
【００３１】
発明の様々な例を記載したが、実際には、菱形の孔の区画を有する材料シートを所望の幅と長さで作ることができる。また部材への成形ブラケットの固定に適した丸孔は、正方形または菱形の孔に締結具を使用することができるため、発明にとって必須ではない。
【図面の簡単な説明】
【００３２】
【図１】（ａ）（ｂ）（ｃ）は、三種類のシートの例を示した図である。
【図２】（ａ）および（ｂ）は、シートおよび角ブラケットの形にしたものの例を示した透視図である。
【図３】シートの切断例を示した図である。
【図４】シートの折り曲げ方を示した図である。
【図５】シート材料の折り曲げ形の別の例を示した図である。
【図６】成形ブラケットを使用した支柱上部への梁の取付け例を示した図である。
【図７】溝形材作製例を示した図である。
【図８】シート材料の別の使用例を示した図である。
【図９】ストリップに切断成形されたシート材料の例を示した図である。
【図１】
2007513298.tif 000003
【図２】
2007513298.tif 000004
【図３】
2007513298.tif 000005
【図４】
2007513298.tif 000006
【図５】
2007513298.tif 000007
【図６】
2007513298.tif 000008
【図７】
2007513298.tif 000009
【図８】
2007513298.tif 000010
【図９】
2007513298.tif 000011
【国際調査報告】
2007513298.tif 000012
2007513298.tif 000013